(57)【要約】【課題】小型化を図ることのできる縦置き可能なディスク再生装置を提供する。【解決手段】ディスク８を搬送するトレイ１１の周縁にディスク８を係止してディスク８の軸方向移動を規制するディスク係止部１１ｊを設け、ディスク８を保持してターンテーブル３１が略軸方向に移動してディスク８を再生位置に配置する際に、カム面２ｄと係合子３５ｄとの係合により径方向にも移動してディスク８がディスク係止部１１ｊから離脱されるようにした。【選択図】　　　図２７
2004071059.tif 000002
【特許請求の範囲】
【請求項１】
ディスクを載置する載置面を有してディスクを着脱可能な着脱位置とディスクを再生する再生位置の略軸上に該ディスクを配置する再生待機位置との間を移動するトレイと、再生待機位置のディスクを保持して略軸方向に移動するとともに再生位置に配したディスクを回転させるターンテーブルと、ディスクの記録情報を読み取る再生部とを備え、再生位置で回転するディスクを前記再生部により再生するディスク再生装置において、
前記トレイの移動方向に対して一方の前記載置面の周縁にディスクを係止してディスクの軸方向移動を規制する係止部を設け、前記ターンテーブルが略軸方向に移動する際に径方向に移動してディスクが前記係止部と係脱することを特徴とするディスク再生装置。
【請求項２】
前記ターンテーブルがカム面に案内されて径方向に移動することを特徴とする請求項１に記載のディスク再生装置。
【請求項３】
前記トレイを複数設け、前記着脱位置と前記再生待機位置との間の収納位置で前記各トレイを軸方向に並設するとともに、前記収納位置のディスクと前記再生待機位置のディスクとを軸方向に重なるように配置したことを特徴とする請求項１または請求項２に記載のディスク再生装置。
【請求項４】
前記再生部と前記ターンテーブルとを一体に枢支し、前記ターンテーブルがカム溝に案内されて前記再生部とともに略軸方向に回動することを特徴とする請求項１〜請求項３のいずれかに記載のディスク再生装置。
【発明の詳細な説明】
【０００１】
【発明の属する技術分野】
本発明は、光ディスクや光磁気ディスク等の情報記録媒体としてのディスクを再生するディスク再生装置に関する。
【０００２】
【従来の技術】
情報記録媒体としての光ディスクや光磁気ディスク等のディスクを再生するディスク再生装置は、トレイにディスクを載置してディスク再生装置内に搬送した後、ターンテーブルによりディスクを回転して光ピックアップ等によりディスクに記録された情報を読み取る。
【０００３】
近年、設置面積を小さくするために、ディスクの載置面を垂直に配置して縦置き可能なディスク再生装置が市販されている。このディスク再生装置は、垂直に配されるディスクの脱落を防止するために、トレイに脱落防止手段が設けられている。
【０００４】
例えば、特開平１０−２７４０７号公報には、トレイのディスク載置面の周縁に径方向内側に突出するアームを形成したディスク再生装置が開示されている。ディスクはアームに係止され、トレイとともに装置内の再生待機位置に移動する。再生待機位置のディスクは、トレイの移動方向に直交した軸方向に移動するターンテーブルにより保持され、該軸方向に移動して再生位置に配される。
【０００５】
再生位置のディスクはターンテーブルにより回転し、光ピックアップ等の再生部により記録情報が読み出される。この時、アームはトレイの移動に伴ってカムにより軸方向に移動して、回転するディスクとの干渉を防止できるようになっている。
【０００６】
【発明が解決しようとする課題】
しかしながら、上記従来のディスク再生装置によると、アームが軸方向に移動するためディスク再生装置内に移動のためのスペースを必要とする。従って、ディスク再生装置が大型になる問題があった。特に、複数のトレイを有して複数のディスクを択一的に再生可能なディスク再生装置では、奥行方向の省スペース化を図るため、再生位置に配される一のディスクとディスクを収納する収納位置に配される他のディスクとが平面的に見て重なって配置される。このため、アームと収納位置のディスクとの干渉を防止するために軸方向のスペースを更に必要とし、ディスク再生装置がより大型になる問題があった。
【０００７】
本発明は、小型化を図ることのできる縦置き可能なディスク再生装置を提供することを目的とする。
【０００８】
【課題を解決するための手段】
上記目的を達成するために本発明は、ディスクを載置する載置面を有してディスクを着脱可能な着脱位置とディスクを再生する再生位置の略軸上に該ディスクを配置する再生待機位置との間を移動するトレイと、再生待機位置のディスクを保持して略軸方向に移動するとともに再生位置に配したディスクを回転させるターンテーブルと、ディスクの記録情報を読み取る再生部とを備え、再生位置で回転するディスクを前記再生部により再生するディスク再生装置において、
前記トレイの移動方向に対して一方の前記載置面の周縁にディスクを係止してディスクの軸方向移動を規制する係止部を設け、前記ターンテーブルが略軸方向に移動する際に径方向に移動してディスクが前記係止部と係脱することを特徴としている。
【０００９】
この構成によると、着脱位置でトレイの載置面にディスクが載置されると、トレイが再生待機位置に移動する。ディスクが再生待機位置に配されるとターンテーブルが回動または直進して略軸方向に移動し、ディスクがターンテーブルに保持されて再生位置に導かれる。再生位置ではディスクがターンテーブルにより回転して再生部により記録情報が読み込まれて再生が行われる。
【００１０】
トレイの載置面の周縁にはディスク再生装置を縦置きした際に下方になる側に係止部が設けられる。着脱位置で装着されたディスクは自重により係止部に係止され、再生待機位置に配される。ターンテーブルは再生待機位置のディスクを再生位置に導く際に径方向に移動してディスクを係止部から離脱させる。また、ターンテーブルは再生位置のディスクを再生待機位置に導く際に径方向に移動してディスクが係止部に係止される。ターンテーブルは軸方向移動時にカム面により摺動案内して径方向に移動させることができる。
【００１１】
また本発明は、上記構成のディスク再生装置において、前記トレイを複数設け、前記着脱位置と前記再生待機位置との間の収納位置で前記各トレイを軸方向に並設するとともに、前記収納位置のディスクと前記再生待機位置のディスクとを軸方向に重なるように配置したことを特徴としている。この構成によると、一のディスクは再生待機位置と略同軸の再生位置に配されて再生が行われ、他のディスクは着脱位置と再生待機位置との間の収納位置に配される。この時、一のディスクと他のディスクとは平面的に見て重なって配置される。
【００１２】
また、ターンテーブルは再生部と一体に枢支され、カム溝に案内されて再生部とともに略軸方向に回動することによりディスクを再生位置に配置することができる。
【００１３】
【発明の実施の形態】
以下に本発明の実施形態を図面を参照して説明する。図１は一実施形態のディスク再生装置を示す斜視図である。また図２は、ディスク再生装置の内部構造を示す斜視図である。これらの図に示すように、ディスク再生装置は筐体１を備えている。筐体１は筐体底部２、筐体右側部３、筐体左側部４及び筐体上面部５から成っており、内部に上部トレイ１０、下部トレイ２０、再生機構ユニット３０及びディスク押え４０等が装置されている。
【００１４】
図３は上部トレイ１０を示す分解斜視図である。上部トレイ１０は、上側ディスク載置トレイ１１、上側ディスク搬送トレイ１２、上側カバートレイ１３及びディスク脱落防止部材１４から成っている。上部トレイ１０は筐体右側面部３及び筐体左側面部４に係合して、奥行方向（図１の矢印Ａ方向）に摺動自在に取り付けられている。
【００１５】
上側カバートレイ１３は両側部が奥行方向に延びて形成され、右側面には後述するトレイ駆動ギヤ５６（図５参照）と噛合するラック１３ａが設けられている。左側部の上面にはガイド突起１３ｂ、１３ｃが形成されている。図１１の背面図に示すように、ガイド突起１３ｂ、１３ｃは互いに直交する方向に突出している。また、両側部の裏面にはガイド溝１３ｅ（図１１参照）が形成されている。
【００１６】
上側ディスク搬送トレイ１２は、左側部にガイド溝１２ｂ、１２ｃが形成されている。ガイド溝１２ｂ、１２ｃは夫々上側カバートレイ１３のガイド突起１３ｂ、１３ｃに係合する（図１１参照）。これにより、上側ディスク搬送トレイ１２が上側カバートレイ１３に対して摺動移動可能になっている。上側ディスク搬送トレイ１２の右側面には、後述するトレイ駆動ギヤ５６、５８（図５参照）と噛合するラック１２ａが設けられる。
【００１７】
上側ディスク搬送トレイ１２の略中央部には後方に開放された穴部１２ｅ、１２ｆが形成されている。穴部１２ｅ、１２ｆには後述するターンテーブル３１及び光ピックアップ３２（いずれも図５参照）が導入される。穴部１２ｅの外周部には、位置決め用穴１２ｇが形成されている。位置決め用穴１２ｇにより、後述する再生待機位置において再生機構ユニット３０の位置決めボス３５ａ（何れも図５参照）が嵌入して上側ディスク搬送トレイ１２が位置決めされるようになっている。
【００１８】
また、上側ディスク搬送トレイ１２の前部には、左右方向に伸びる回転軸を中心として回動自在にディスク脱落防止部材１４が取り付けられる。ディスク脱落防止部材１４は上部トレイ１０が再生待機位置に移動する際に回動して、後述する収納位置に配された下部トレイ１１上のディスクの後方を支持してディスクの脱落を防止するようになっている。
【００１９】
上側ディスク載置トレイ１１は、前部の両側面に回動軸１１ａが突設されている。回動軸１１ａが上側ディスク搬送トレイ１２の前部に設けられた穴部１２ｄに嵌入して、上側ディスク搬送トレイ１２に対して上側ディスク載置トレイ１１が回動自在に取り付けられている。
【００２０】
上側ディスク載置トレイ１１には、径の異なる円形の凹部１１ｂ、１１ｃが形成され、径の異なる２種類のディスクを載置可能になっている。凹部１１ｂ、１１ｃの略中央部には後方に開放された穴部１１ｄ、１１ｅが形成されている。穴部１１ｄ、１１ｅには、上側ディスク搬送トレイ１２の穴部１２ｅ、１２ｆに導入されるターンテーブル３１及び光ピックアップ３２（いずれも図５参照）が同様に導入される。
【００２１】
穴部１１ｄの外周部には、位置決め用穴１１ｆが形成されている。位置決め用穴１１ｆにより、上側ディスク搬送トレイ１２の位置決め用穴１２ｇに嵌入された位置決めボス３５ａが同様に嵌入して上側ディスク載置トレイ１１が位置決めされるようになっている。
【００２２】
上側ディスク載置トレイ１１の後端部にはトレイ回動ガイド１１ｇが突設されている。後述するように、トレイ回動ガイド１１ｇは筐体右側部３及び筐体左側部４に設けられたガイド溝３ａ（不図示）、４ａ（図１０参照）に係合して上側ディスク載置トレイ１１を案内するようになっている。
【００２３】
図４は下部トレイ２０を示す分解斜視図である。下部トレイ２０は下側ディスク載置トレイ２１、下側ディスク搬送トレイ２２及び下側カバートレイ２３から成っている。下部トレイ２０は筐体右側面部３及び筐体左側面部４に係合して、奥行方向（図１の矢印Ａ方向）に摺動自在に取り付けられている。
【００２４】
下側カバートレイ２３は両側部が奥行方向に延びて形成され、左側面には後述するトレイ駆動ギヤ６０（図５参照）と噛合するラック２３ａが設けられている。右側部の上面には、互いに直交する方向に突出するガイド突起２３ｂ、２３ｃが形成されている（図１１参照）。また、両側部の裏面にはガイド溝２３ｅ（図１１参照）が形成されている。
【００２５】
下側ディスク搬送トレイ２２は平面形状がコ字型になっており、右側部にガイド溝２２ｂ、２２ｃが形成されている。ガイド溝２２ｂ、２２ｃは夫々下側カバートレイ２３のガイド突起２３ｂ、２３ｃに係合する（図１１参照）。これにより、下側ディスク搬送トレイ２２が下側カバートレイ２３に対して摺動移動可能になっている。下側ディスク搬送トレイ２２の左側面には、後述するトレイ駆動ギヤ６０、６２（図５参照）と噛合するラック２２ａが設けられる。
【００２６】
下側ディスク載置トレイ２１は、前部の両側面に回動軸２１ａが突設されている。回動軸２１ａが下側ディスク搬送トレイ２２の前部に設けられた穴部２２ｄに嵌入して、下側ディスク搬送トレイ２２に対して下側ディスク載置トレイ２１が回動自在に取り付けられている。
【００２７】
下側ディスク載置トレイ２１には、径の異なる円形の凹部２１ｂ、２１ｃが形成され、径の異なる２種類のディスクを載置可能になっている。凹部２１ｂ、２１ｃの略中央部には後方に延びる穴部２１ｄ、２１ｅが形成されている。穴部２１ｄ、２１ｅには、ターンテーブル３１及び光ピックアップ３２（いずれも図５参照）が導入される。
【００２８】
穴部２１ｄの外周部には、位置決め用穴２１ｆが形成されている。位置決め用穴２１ｆにより、後述する再生待機位置において再生機構ユニット３０の位置決めボス３５ａ（図５参照）が嵌入して下側ディスク載置トレイ２１が位置決めされるようになっている。
【００２９】
図１１に示すように、下側ディスク載置トレイ２１の裏面には両側部にガイド溝２１ｇが形成されている。ガイド溝２１ｇは図５に示す筐体底部２に形成されたトレイガイド２ｂと係合して下側ディスク載置トレイ２１を案内する。また、ガイド溝２１ｇに沿ってＬ字型のガイド部２１ｈが形成され、トレイガイド２ｂを保持するようになっている。
【００３０】
また、図１２に示すように、下側カバートレイ２３にはトレイガイド２ｂの延長上に同様の形状のガイド突起２３ｆが設けられている。ガイド突起２３ｆにはガイド溝２１ｇ及びガイド部２１ｈが係合して、トレイガイド２ｂから離脱した下側ディスク載置トレイ２１を案内できるようになっている。
【００３１】
図５、図６は筐体底部２に設けられた駆動機構部７０及び再生機構ユニット３０を示す斜視図及び上面図である。駆動機構部７０はモータ５０を有し、モータ５０の軸にはピニオンギヤ４９が取り付けられている。ピニオンギヤ４９には２段ギヤから成る中間ギヤ５１の大径側が噛合する。
【００３２】
中間ギヤ５１の小径側には２段ギヤから成る中間ギヤ５２の大径側が噛合する。中間ギヤ５２の小径側には中間ギヤ５３が噛合する。中間ギヤ５３にはカムギヤ５４の内面に形成されたギヤ部５４ａが噛合する。これにより、モータ５０の回転が減速してカムギヤ５４に伝達されるようになっている。
【００３３】
図７、図８はカムギヤ５４を示す平面図及び正面図である。カムギヤ５４の周面には夫々周面の一部に配される複数のギヤ部５４ｂ〜５４ｇが４段に設けられている。尚、ギヤ部５４ｃ、５４ｅが同じ段に形成され、ギヤ部５４ｂ、５４ｄが同じ段に形成されている。
【００３４】
カムギヤ５４の周囲には２段ギヤから成る中間ギヤ５５、５７、５９、６１が配される。中間ギヤ５５、５７、５９、６１の小径側にはギヤ部５４ｂ、５４ｃ、５４ｄ、５４ｅが夫々噛合する。中間ギヤ５５、５７、５９、６１の大径側にはトレイ駆動ギヤ５６、５８、６０、６２が夫々噛合する。
【００３５】
トレイ駆動ギヤ５６は上部トレイ１０の上側カバートレイ１３及び上側ディスク搬送トレイ１２に設けられたラック１３ａ、１２ａと噛合して上部トレイ１０を奥行方向へ駆動する。トレイ駆動ギヤ５８はラック１２ａと噛合して上側ディスク搬送トレイ１２を更に奥行方向へ駆動する。
【００３６】
トレイ駆動ギヤ６０は下部トレイ２０の下側カバートレイ２３及び下側ディスク搬送トレイ２２に設けられたラック２３ａ、２２ａと噛合して下部トレイ２０を奥行方向へ駆動する。トレイ駆動ギヤ６２はラック２２ａと噛合して下側ディスク搬送トレイ２２を更に奥行方向へ駆動する。
【００３７】
また、カムギヤ５４のギヤ部５４ｇは中間ギヤ３７に噛合する。カムギヤ５４のギヤ部５４ｆは中間ギヤ３８を介して中間ギヤ３７と噛合する。図９に示すように、中間ギヤ３７は駆動機構部７０と再生機構ユニット３０との間に設けられた昇降用ラック部材３６のラック３６ａに噛合する。これにより、昇降用ラック部材３６は筐体底部２に設けられたガイド溝２ａに案内されて左右方向（矢印Ｂ方向）に移動する。
【００３８】
昇降用ラック部材３６は断面Ｌ字型を成し、鉛直面には傾斜したガイド溝（カム溝）３６ｂが形成されている。再生機構ユニット３０を覆う再生ユニットホルダー３５にはガイド溝３６ｂに係合する突起部３５ｂが設けられている。再生ユニットホルダー３５の後端には支軸３５ｃが突設されている。支軸３５ｃは筐体底部２に設けられた軸穴２ｃに嵌合して再生機構ユニット３０を枢支する。従って、昇降用ラック部材３６が左右方向（矢印Ｂ方向）に移動することによって再生機構ユニット３０が回動して昇降するようになっている。
【００３９】
再生ユニットホルダー３５の上面には、回動時に上側ディスク搬送トレイ１２、上側ディスク載置トレイ１１及び下側ディスク載置トレイ２１を位置決めする位置決めボス３５ａが突設されている。再生ユニットホルダー３５の前部の両側面には係合子３５ｄが突設されている。詳細を後述するが、係合子３５ｄは筐体底部２に形成されたカム面２ｄに摺動して再生機構ユニット３０を回動しながら左右方向に移動させるようになっている。
【００４０】
再生機構ユニット３０には回転駆動されるターンテーブル３１が設けられている。ターンテーブル３１は磁性体から成り、同じく磁性体から成るディスク押え４０（図１参照）との間の吸着力によりディスクを挟持してディスクを回転駆動する。また、ターンテーブル３１の近傍にはターンテーブル３１に保持されたディスクの記録情報を読み取る光ピックアップ３２が配置されている。
【００４１】
図１０は筐体左側面部４を示す側面図である。筐体左側面部４には、平行な３つのガイド溝４ｂが形成され、ガイド溝４ｂに対して一部が分岐して傾斜するガイド溝４ａが形成される。ガイド溝４ｂにはガイド突起４ｃが形成されている。ガイド溝４ｂには、下方から下側カバートレイ２３、下側ディスク搬送トレイ２２、上側カバートレイ１３が係合し、ガイド突起４ｃが夫々に設けられたガイド溝２３ｅ、２２ｃ、１３ｅに係合する（図１１参照）。
【００４２】
また、ガイド溝４ａには、上側ディスク搬送トレイ１２及び上側ディスク載置トレイ１１が係合し、分岐部分には上側ディスク載置トレイ１１がトレイ回動ガイド１１ｇ（図３参照）により案内される。また、筐体右側面部３（図１参照）にも同様のガイド溝が形成されている。これにより、上部トレイ１０及び下部トレイ２０が奥行方向に案内されるようになっている。
【００４３】
上記構成のディスク再生装置において、図１３〜図２８を参照して動作を説明する。図１３は上部トレイ１０が着脱位置Ｔ１に配され、下部トレイ２０が再生待機位置Ｔ６に配された状態を示している。また、再生機構ユニット３０は再生位置Ｐ１に配置されており、これにより下部トレイ２０上のディスク８が再生位置に設置されている。
【００４４】
この状態のディスク再生装置の斜視図を図２９に示す。また、図１９に示すように、筐体左側面部４のガイド溝４ｂ内には下側トレイカバー２３及び下側ディスク搬送トレイ２２が収納される。
【００４５】
下部トレイ２０の下側ディスク載置トレイ２１はトレイガイド２ｂ（図５参照）の案内により後端が持ち上げられて傾斜している。再生待機位置Ｔ６に配される下側ディスク載置トレイ２１上のディスク８は、ターンテーブル３１により略軸方向に持ち上げられて再生位置に配されている。
【００４６】
カムギヤ５４が所定位置に配されて図７のＣ１方向に回転すると、ギヤ部５４ｂ、５４ｃが中間ギヤ５５、５７と噛合してトレイ駆動ギヤ５６、５８が回転し、上部トレイ１０が後退する。この時、図２０に示すように上側ディスク載置トレイ１１のトレイ回動ガイド１１ｇがガイド溝４ａに案内される。
【００４７】
更にトレイ駆動ギヤ５６、５８が回転すると、図１４、図２１に示すように上部トレイ１０が収納位置Ｔ２に配される。この時、上側ディスク載置トレイ１１はガイド溝４ａの案内により傾斜して配され、収納位置Ｔ２の上方のディスク８と再生位置の下方のディスク８とが軸方向に重なって配置される。これにより、ディスク再生装置の奥行方向の寸法を小さくしている。
【００４８】
また、カムギヤ５４のギヤ部５４ｆが中間ギヤ３８に噛合し、中間ギヤ３７を介して昇降用ラック部材３６が右方に移動する。これにより、図１５に示すように昇降用ラック部材３６のガイド溝３６ｂの案内によって再生機構ユニット３０が下降して非再生位置Ｐ２に配される。そして、ターンテーブル３１に保持されるディスク８は略軸方向に移動して下側ディスク載置トレイ２１上に載置される。
【００４９】
カムギヤ５４が所定位置に配されて図７のＣ１方向に回転すると、ギヤ部５４ｄが中間ギヤ６１と噛合してトレイ駆動ギヤ６２が回転し、下部トレイ２０の下側搬送トレイ２２が前進する。これにより、図２１に示すように、下部トレイ２０が収納位置Ｔ５（図１７参照）に配される。
【００５０】
カムギヤ５４が更にＣ１方向に回転すると、ギヤ部５４ｃが中間ギヤ５７と噛合してトレイ駆動ギヤ５８が回転し、図２２に示すように上側搬送トレイ１２が後退し始める。更にカムギヤ５４が回転すると、図１６、図２３に示すように、上側搬送トレイ１２が再生待機位置Ｔ３に配される。
【００５１】
そして、カムギヤ５４のギヤ部５４ｇが中間ギヤ３７と噛合し、昇降用ラック部材３６が左方に移動する。これにより、図１７に示すように昇降用ラック部材３６のガイド溝３６ｂの案内によって再生機構ユニット３０が上昇して再生位置Ｐ１に配される。そして、上部トレイ１０上のディスク８はターンテーブル３１に保持されて略軸方向に移動して再生位置に配される。
【００５２】
図２５〜図２８はこの時の再生機構ユニット３０の動作を示す背面図である。図２５において、上側ディスク載置トレイ１１は再生待機位置Ｔ３に配され、上側ディスク載置トレイ１１に載置されたディスク８の下方にターンテーブル３１が配されている。
【００５３】
再生機構ユニット３０に設けられた突起部３５ｂは昇降用ラック部材３６のガイド溝３６ｂの下端に配されている。また、再生機構ユニット３０の側面に設けられた係合子３５ｄは筐体底部２に形成されたカム面２ｄの下部に当接している。
【００５４】
また、上側ディスク載置トレイ１１の凹部１１ｂの周縁には、上側ディスク載置トレイ１１のディスク載置面から軸方向に離れて径方向に突出するディスク係止部１１ｊが形成されている。ディスク係止部１１ｊはディスク８を載置するため筐体右側面部３側にのみ設けられ、上側ディスク載置トレイ１１に載置されたディスク８を係止して軸方向への移動を規制する。
【００５５】
ディスク再生装置が図２９に示すように横置きされる場合はディスク８がディスク係止部１１ｊから離脱している場合がある。しかし、図３０に示すように、筐体右側面部３側を底面にしてディスク再生装置を縦置きした場合には、ディスク８は自重によりディスク係止部１１ｊに係止され、鉛直に配されるディスク８の脱落を防止する。このため、ディスク係止部１１ｊは凹部１１ｂの搬送方向に対して一方半分に設けられる。
【００５６】
昇降用ラック部材３６が左方に移動を開始すると、図２６に示すように、ターンテーブル３１がディスク８に当接する。更に昇降用ラック部材３６が移動すると、図２７に示すようにターンテーブル３１によりディスク８が持ち上げられる。この時、再生機構ユニット３０の係合子３５ｄはカム面２ｄに沿って摺動して再生機構ユニット３０を左方に移動させる。これにより、ディスク８はディスク係止部１１ｊから離脱して軸方向に移動可能になる。
【００５７】
更に、昇降用ラック部材３６が移動するとディスク８が上昇し、突起部３５ｂがガイド溝３６ｂの上端に配されて図２８に示すようにディスク８がターンテーブル３１とディスク押え４０とに挟持される。これにより、ディスク８が再生位置に配され、光ピックアップ３２（図２参照）により再生可能になる。
【００５８】
尚、上記と逆の動作により再生位置のディスク８を再生待機位置Ｔ３に配された上側ディスク載置トレイ１１上に設置することができる。この時、ディスク再生装置を縦置きにした場合はディスク８は自重によりディスク係止部１１ｊに係止される。また、下側ディスク載置トレイ２１にも同様のディスク係止部２１ｊ（不図示）が設けられ、下側ディスク載置トレイ２１上のディスク８を再生位置に配置する際も再生機構ユニット３０は同様に動作する。
【００５９】
図１７、図２３に示す状態から、カムギヤ５４が所定位置に配されて図７のＣ１方向に回転すると、ギヤ部５４ｂ、５４ｅが中間ギヤ５９、６１と噛合してトレイ駆動ギヤ６０、６２が回転し、下部トレイ２０が前進する。これにより、図１８、図２４に示すように下部トレイ２０が着脱位置Ｔ４に配される。
【００６０】
尚、カムギヤ５４がＣ２方向（図７参照）に回転することによって上記と逆の動作が行われる。
【００６１】
本実施形態によると、上部トレイ１０及び下部トレイ２０の上側ディスク載置トレイ１１及び下側ディスク載置トレイ２１に設けたディスク係止部１１ｊ、２１ｊによって、ディスク再生装置を縦置きした際のディスクの脱落を簡単に防止することができる。また、再生待機位置Ｔ３、Ｔ６の上部トレイ１０及び下部トレイ２０上のディスクが再生位置に配される際に、略軸方向に移動するターンテーブル３１が径方向にも移動する。
【００６２】
このため、ディスクをディスク係止部１１ｊ、２１ｊから容易に離脱させることができる。従って、従来例のようにディスク脱落防止手段の移動スペースを設ける必要がなくディスク再生装置の小型化を図ることができる。更に、収納位置Ｔ２に配された上側のディスクと再生位置に配された下側のディスクとが軸方向に重なって配置され、この間の距離を接近させることができる（図１４参照）。従って、ディスク再生装置のより小型化を図ることができる。
【００６３】
【発明の効果】
本発明によると、搬送されるトレイの移動方向に対して一方の載置面の周縁にディスクの軸方向移動を規制する係止部を設けるので、ディスク再生装置を縦置きした際のディスクの脱落を簡単に防止することができる。また、ターンテーブルが再生待機位置のトレイ上のディスクを保持し、略軸方向に移動してディスクを再生位置に導く際に径方向にも移動するのでディスクを係止部から容易に離脱させることができる。従って、従来例のようにディスクの脱落防止手段の移動スペースを設ける必要がなくディスク再生装置の小型化を図ることができる。
【００６４】
また本発明によると、カム面の案内によりターンテーブルを容易に径方向に移動させることができる。
【００６５】
また本発明によると、従来例のようにディスクの脱落防止手段が軸方向に移動しないので、複数のディスクを択一的に再生可能なディスク再生装置において、収納位置に配された上側のディスクと再生位置に配された下側のディスクとの距離を接近させることができる。従って、ディスク再生装置のより小型化を図ることができる。
【図面の簡単な説明】
【図１】は、本発明の実施形態のディスク再生装置を示す斜視図である。
【図２】は、本発明の実施形態のディスク再生装置の内部構造を示す斜視図である。
【図３】は、本発明の実施形態のディスク再生装置の上部トレイを示す分解斜視図である。
【図４】は、本発明の実施形態のディスク再生装置の下部トレイを示す分解斜視図である。
【図５】は、本発明の実施形態のディスク再生装置の筐体底部に設けられた駆動機構及び再生機構ユニットを示す斜視図である。
【図６】は、本発明の実施形態のディスク再生装置の筐体底部に設けられた駆動機構及び再生機構ユニットを示す上面図である。
【図７】は、本発明の実施形態のディスク再生装置のカムギヤを示す上面図である。
【図８】は、本発明の実施形態のディスク再生装置のカムギヤを示す正面図である。
【図９】は、本発明の実施形態のディスク再生装置の筐体底部に設けられた昇降用ラック部材及び再生機構ユニットを示す分解斜視図である。
【図１０】は、本発明の実施形態のディスク再生装置の筐体右側面部を示す正面図である。
【図１１】は、本発明の実施形態のディスク再生装置を示す背面図である。
【図１２】は、本発明の実施形態のディスク再生装置の下部トレイを示す背面図である。
【図１３】は、本発明の実施形態のディスク再生装置の動作を示す概略側面図である。
【図１４】は、本発明の実施形態のディスク再生装置の動作を示す概略側面図である。
【図１５】は、本発明の実施形態のディスク再生装置の動作を示す概略側面図である。
【図１６】は、本発明の実施形態のディスク再生装置の動作を示す概略側面図である。
【図１７】は、本発明の実施形態のディスク再生装置の動作を示す概略側面図である。
【図１８】は、本発明の実施形態のディスク再生装置の動作を示す概略側面図である。
【図１９】は、本発明の実施形態のディスク再生装置の上部トレイ及び下部トレイの動作を示す概略側面図である。
【図２０】は、本発明の実施形態のディスク再生装置の上部トレイ及び下部トレイの動作を示す概略側面図である。
【図２１】は、本発明の実施形態のディスク再生装置の上部トレイ及び下部トレイの動作を示す概略側面図である。
【図２２】は、本発明の実施形態のディスク再生装置の上部トレイ及び下部トレイの動作を示す概略側面図である。
【図２３】は、本発明の実施形態のディスク再生装置の上部トレイ及び下部トレイの動作を示す概略側面図である。
【図２４】は、本発明の実施形態のディスク再生装置の上部トレイ及び下部トレイの動作を示す側面図である。
【図２５】は、本発明の実施形態のディスク再生装置の再生機構ユニットの動作を示す側面図である。
【図２６】は、本発明の実施形態のディスク再生装置の再生機構ユニットの動作を示す側面図である。
【図２７】は、本発明の実施形態のディスク再生装置の再生機構ユニットの動作を示す側面図である。
【図２８】は、本発明の実施形態のディスク再生装置の再生機構ユニットの動作を示す側面図である。
【図２９】は、本発明の実施形態のディスク再生装置の横置き使用状態を示す斜視図である。
【図３０】は、本発明の実施形態のディスク再生装置の縦置き使用状態を示す斜視図である。
【符号の説明】
１　　筐体
２　　筐体底部
２ｄ　カム面
３　　筐体右側面部
４　　筐体左側面部
５　　筐体上面部
８　　ディスク
１０　　上部トレイ
１１　　上側ディスク載置トレイ
１１ｊ　ディスク係止部
１２　　上側ディスク搬送トレイ
１３　　上側カバートレイ
２０　　下部トレイ
２１　　下側ディスク載置トレイ
２２　　下側ディスク搬送トレイ
２３　　下側カバートレイ
３０　　再生機構ユニット
３１　　ターンテーブル
３２　　光ピックアップ
３５ｂ　突起部
３５ｄ　係合子
３６　　昇降用ラック部材
３６ｂ　ガイド溝
３７、３８、５１、５２、５３、５５、５７、５９、６１　中間ギヤ
４０　　ディスク押え
５０　　モータ
５４　　カムギヤ
５６、５８、６０、６２　トレイ駆動ギヤ
【図１】
2004071059.tif 000003
【図２】
2004071059.tif 000004
【図３】
2004071059.tif 000005
【図４】
2004071059.tif 000006
【図５】
2004071059.tif 000007
【図６】
2004071059.tif 000008
【図７】
2004071059.tif 000009
【図８】
2004071059.tif 000010
【図９】
2004071059.tif 000011
【図１０】
2004071059.tif 000012
【図１１】
2004071059.tif 000013
【図１２】
2004071059.tif 000014
【図１３】
2004071059.tif 000015
【図１４】
2004071059.tif 000016
【図１５】
2004071059.tif 000017
【図１６】
2004071059.tif 000018
【図１７】
2004071059.tif 000019
【図１８】
2004071059.tif 000020
【図１９】
2004071059.tif 000021
【図２０】
2004071059.tif 000022
【図２１】
2004071059.tif 000023
【図２２】
2004071059.tif 000024
【図２３】
2004071059.tif 000025
【図２４】
2004071059.tif 000026
【図２５】
2004071059.tif 000027
【図２６】
2004071059.tif 000028
【図２７】
2004071059.tif 000029
【図２８】
2004071059.tif 000030
【図２９】
2004071059.tif 000031
【図３０】
2004071059.tif 000032